(57)【要約】【課題】移動端末を、移動端末が使用している適用サービスに応じた最適セルに遷移させる。【解決手段】移動端末１０と、適用サービス毎かつセル毎の通信品質指標を記憶するサーバ４０と、自セルに在圏する移動端末１０が使用している適用サービスの自セル及び自セルに隣接する隣接セルの通信品質指標をサーバ４０から取得し、取得した通信品質指標に基づいて、自セル及び隣接セルの中で自セルが当該適用サービスの最適セルであるか否かを判定し、自セルが最適セルでない場合、移動端末１０を最適セルとなる隣接セルに遷移させる基地局２０と、を備える。【選択図】図１
2019220739.tif 000002
【特許請求の範囲】
【請求項１】
移動端末と、
適用サービス毎かつセル毎の通信品質指標を記憶するサーバと、
自セルに在圏する前記移動端末が使用している適用サービスの自セル及び自セルに隣接する隣接セルの通信品質指標を前記サーバから取得し、取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる基地局と、
を備える、通信システム。
【請求項２】
前記基地局は、
自セルに在圏する前記移動端末が使用している適用サービスの自セルの通信品質指標が閾値を超えていない場合、自セルが最適セルであると判定し、
当該適用サービスの自セルの通信品質指標が閾値を超えており、かつ、当該適用サービスの自セルの通信品質指標及び隣接セルの通信品質指標の中で自セルの通信品質指標が最も小さい場合、自セルが最適セルであると判定し、
当該適用サービスの自セルの通信品質指標が閾値を超えており、かつ、当該適用サービスの自セルの通信品質指標及び隣接セルの通信品質指標の中で隣接セルの通信品質指標が最も小さい場合、当該隣接セルが最適セルであると判定する、
請求項１に記載の通信システム。
【請求項３】
前記サーバは、
適用サービス毎かつセル毎かつＳＩＮＲ（Signal to Interference Ratio)毎の通信品質指標を記憶し、
前記基地局は、
自セルに在圏する前記移動端末が使用している適用サービスの自セルにおける前記移動端末が在圏する位置のＳＩＮＲの通信品質指標、及び、当該適用サービスの隣接セルの通信品質指標を前記サーバから取得し、取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる、
請求項１に記載の通信システム。
【請求項４】
前記基地局は、
自セルに在圏する前記移動端末が使用している適用サービスの自セルのＳＩＮＲの通信品質指標が閾値を超えていない場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で自セルのＳＩＮＲの通信品質指標が最も小さい場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で隣接セルの通信品質指標が最も小さい場合、当該隣接セルが最適セルであると判定する、
請求項３に記載の通信システム。
【請求項５】
自セルに在圏する移動端末が使用している適用サービスの自セル及び自セルに隣接する隣接セルの通信品質指標をサーバから取得する通信部と、
前記通信部が取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる処理部と、
を備える、基地局。
【請求項６】
適用サービス毎かつセル毎の通信品質指標を記憶する記憶部と、
基地局に対し、当該基地局のセルに在圏する移動端末が使用している適用サービスの当該セル及び当該セルに隣接する隣接セルの通信品質指標を送信する通信部と、
を備える、サーバ。
【請求項７】
基地局の制御方法であって、
自セルに在圏する移動端末が使用している適用サービスの自セル及び自セルに隣接する隣接セルの通信品質指標をサーバから取得し、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる、
基地局の制御方法。
【請求項８】
サーバの制御方法であって、
適用サービス毎かつセル毎の通信品質指標を記憶し、
基地局に対し、当該基地局のセルに在圏する移動端末が使用している適用サービスの当該セル及び当該セルに隣接する隣接セルの通信品質指標を送信する、
サーバの制御方法。
【請求項９】
基地局に、
自セルに在圏する移動端末が使用している適用サービスの自セル及び自セルに隣接する隣接セルの通信品質指標をサーバから取得する手順と、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる手順と、
を実行させるプログラム。
【請求項１０】
サーバに、
適用サービス毎かつセル毎の通信品質指標を記憶する手順と、
基地局に対し、当該基地局のセルに在圏する移動端末が使用している適用サービスの当該セル及び当該セルに隣接する隣接セルの通信品質指標を送信する手順と、
を実行させるプログラム。
【発明の詳細な説明】
【技術分野】
【０００１】
本開示は、通信システム、基地局、サーバ、制御方法、及びプログラムに関する。
【背景技術】
【０００２】
特許文献１には、移動端末が、自己位置に対応した通信可能領域に関する情報である通信可能領域情報を告知する技術が開示されている。特許文献１に記載の技術は、移動端末が通信不可能なセルに在圏する場合でも、通信可能なセルに移動端末を遷移させることに寄与し得ると考えられる。
【先行技術文献】
【特許文献】
【０００３】
【特許文献１】特開平１１−３１３３７３号公報
【発明の概要】
【発明が解決しようとする課題】
【０００４】
ところで、最近、移動端末に適用可能な適用サービスとして、様々なサービスが提供されている。適用サービスの１つとして、高音質の音声通話を実現するＶｏＬＴＥ（Voice over Long Term Evolution）サービスが挙げられる。
ＶｏＬＴＥサービスによる音声通話においては、通信品質の悪いエリアでは、音途切れ（約５００ｍｓの無音状態）が発生してしまい、この音途切れの発生がユーザ体感品質（ユーザが体感する通信品質）の悪化の一因となってしまっている。音途切れが発生する主要因は、移動端末の基地局への再接続の発生であり、統計的に再接続の発生頻度の低いセルで音声通話することができれば、ユーザ体感品質の向上につながると考えられる。
【０００５】
しかし、特許文献１に記載の技術は、移動端末を、適用サービスに応じて、最適セルに遷移させるものではないため、移動端末が最適な品質で適用サービスを享受できない可能性があるという問題がある。
【０００６】
そこで、本開示の目的は、上述した課題を解決し、移動端末を、移動端末が使用している適用サービスに応じた最適セルに遷移させることが可能となる通信システム、基地局、サーバ、制御方法、及びプログラムを提供することにある。
【課題を解決するための手段】
【０００７】
一態様による通信システムは、
移動端末と、
適用サービス毎かつセル毎の通信品質指標を記憶するサーバと、
自セルに在圏する前記移動端末が使用している適用サービスの自セル及び自セルに隣接する隣接セルの通信品質指標を前記サーバから取得し、取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる基地局と、
を備える。
【０００８】
一態様による基地局は、
自セルに在圏する移動端末が使用している適用サービスの自セル及び自セルに隣接する隣接セルの通信品質指標をサーバから取得する通信部と、
前記通信部が取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる処理部と、
を備える。
【０００９】
一態様によるサーバは、
適用サービス毎かつセル毎の通信品質指標を記憶する記憶部と、
基地局に対し、当該基地局のセルに在圏する移動端末が使用している適用サービスの当該セル及び当該セルに隣接する隣接セルの通信品質指標を送信する通信部と、
を備える。
【００１０】
一態様による基地局の制御方法は、
自セルに在圏する移動端末が使用している適用サービスの自セル及び自セルに隣接する隣接セルの通信品質指標をサーバから取得し、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる。
【００１１】
一態様によるサーバの制御方法は、
適用サービス毎かつセル毎の通信品質指標を記憶し、
基地局に対し、当該基地局のセルに在圏する移動端末が使用している適用サービスの当該セル及び当該セルに隣接する隣接セルの通信品質指標を送信する。
【００１２】
一態様によるプログラムは、
基地局に、
自セルに在圏する移動端末が使用している適用サービスの自セル及び自セルに隣接する隣接セルの通信品質指標をサーバから取得する手順と、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる手順と、
を実行させる。
【００１３】
一態様によるプログラムは、
サーバに、
適用サービス毎かつセル毎の通信品質指標を記憶する手順と、
基地局に対し、当該基地局のセルに在圏する移動端末が使用している適用サービスの当該セル及び当該セルに隣接する隣接セルの通信品質指標を送信する手順と、
を実行させる。
【発明の効果】
【００１４】
上記の態様によれば、移動端末を、移動端末が使用している適用サービスに応じた最適セルに遷移させることが可能となる通信システム、基地局、サーバ、制御方法、及びプログラムを提供できるという効果が得られる。
【図面の簡単な説明】
【００１５】
【図１】実施の形態１に係る通信システムの構成例を示す図である。
【図２】実施の形態１に係る移動端末の構成例を示すブロック図である。
【図３】実施の形態１に係る基地局の構成例を示すブロック図である。
【図４】実施の形態１に係る局データサーバの構成例を示すブロック図である。
【図５】実施の形態１に係る通信システムにおいて、移動端末が使用している適用サービスに応じて基地局がセル遷移を制御する場合の動作例を示すフロー図である。
【図６】実施の形態１に係る通信システムにおいて、適用サービス毎の通信品質指標の閾値を基地局に入力する場合の動作例を示すフロー図である。
【図７】実施の形態１に係る通信システムにおいて、基地局が接続試行回数及び通信劣化回数をカウントする場合の動作例を示すフロー図である。
【図８】実施の形態１に係る通信システムにおいて、局データサーバが通信品質指標を更新する場合の動作例を示すフロー図である。
【図９】実施の形態１に係る通信システムにおいて、局データサーバのデータ記憶部に記憶される、ある適用サービスのセル毎の通信品質指標のデータの例を示す図である。
【図１０】実施の形態２に係る通信システムにおいて、局データサーバのデータ記憶部に記憶される、ある適用サービスのセル毎かつＳＩＮＲ毎の通信品質指標のデータの例を示す図である。
【図１１】実施の形態に係る基地局を概念的に示した基地局の構成例を示すブロック図である。
【図１２】実施の形態に係る局データサーバを概念的に示した局データサーバの構成例を示すブロック図である。
【発明を実施するための形態】
【００１６】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１７】
（１）実施の形態１
（１−１）実施の形態１の構成
まず、図１を参照して、本実施の形態１に係る通信システムの構成について説明する。図１は、本実施の形態１に係る通信システムの構成例を示す図である。
【００１８】
図１に示されるように、本実施の形態１に係る通信システムは、Ｎ（Ｎは２以上の自然数）台の移動端末１０−１〜１０−Ｎ（以下、移動端末１０−１〜１０−Ｎを特に区別することなく言及する場合には、適宜「移動端末１０」と称する）、４台の基地局２０−Ｘ，２０−Ｙ１〜２０−Ｙ３（以下、基地局２０−Ｘ，２０−Ｙ１〜２０−Ｙ３を特に区別することなく言及する場合には、適宜「基地局２０」と称する）、及び局データサーバ４０を備えている。なお、図１において、基地局２０の台数は４台としているが、これは一例であって、基地局２０の台数は２台以上であれば良い。また、移動端末１０の台数は複数台としているが、これは一例であって、移動端末１０の台数は１台でも良い。
【００１９】
移動端末１０は、基地局２０に接続し、基地局２０と通信することが可能である。基地局２０と局データサーバ４０とは、インターネット３０を介して接続されている。なお、本実施の形態１では、基地局２０−Ｘのセルは、基地局２０−Ｙ１〜２０−Ｙ３の３つのセルにそれぞれ隣接しているものとする。すなわち、基地局２０−Ｘのセルに隣接する隣接セルは、基地局２０−Ｙ１〜２０−Ｙ３の３つのセルであるものとする。
【００２０】
続いて、図２を参照して、移動端末１０の構成について説明する。図２は、移動端末１０の構成例を示すブロック図である。
図２に示されるように、移動端末１０は、データ送信部１１、データ受信部１２、及びＲＦ（Radio Frequency）情報取得部１３を備えている。
【００２１】
データ送信部１１は、基地局２０へデータを送信する。データ受信部１２は、基地局２０からデータを受信する。
ＲＦ情報取得部１３は、ＲＦ情報を取得する。ＲＦ情報は、例えば、自移動端末１０が在圏する在圏セルのセル番号及び在圏セルに隣接する隣接セルのセル番号である。ＲＦ情報取得部１３が取得したＲＦ情報は、在圏セルの基地局２０へ、データ送信部１１により送信される。
【００２２】
続いて、図３を参照して、基地局２０の構成について説明する。図３は、基地局２０の構成例を示すブロック図である。
図３に示されるように、基地局２０は、データ送信部２１、データ受信部２２、端末制御部２３、サービス内容検知部２４、データ要求部２５、閾値入力部２６、閾値記憶部２７、セル判定部２８、及びカウンタ部２９を備えている。
【００２３】
データ送信部２１は、移動端末１０及び局データサーバ４０へデータを送信する。データ受信部２２は、移動端末１０及び局データサーバ４０からデータを受信する。
端末制御部２３は、自セル（自基地局２０のセル。以下、同じ）に在圏する移動端末１０のセル遷移を制御する。
【００２４】
サービス内容検知部２４は、移動端末１０に適用可能な適用サービスのうち、自セルに在圏する移動端末１０がどの適用サービスを使用しているかを検知する。本実施の形態においては、移動端末１０に適用可能な適用サービスは、少なくともＶｏＬＴＥサービスを含むものとする。その他の適用サービスは任意であるが、例えば、ＦＴＰ（File Transfer Protocol）を使用してデータの送受信を行うＦＴＰサービス等を含むことができる。
【００２５】
データ要求部２５は、自セルに在圏する移動端末１０に対し、ＲＦ情報を要求する。また、データ要求部２５は、局データサーバ４０に対し、自セルに在圏する移動端末１０が使用している適用サービスの、自セル及び自セルに隣接する隣接セル（移動端末１０からＲＦ情報として取得したセル番号の在圏セル及び隣接セル）の通信品質指標を要求する。通信品質指標は、ユーザ体感品質が劣化する確率を表し、百分率で表される。従って、通信品質指標の値が低いほど、ユーザ体感品質が劣化する確率は低く、通信品質が良いことを意味する。
【００２６】
閾値入力部２６は、適用サービス毎の通信品質指標の閾値が入力される。閾値記憶部２７は、閾値入力部２６に入力された適用サービス毎の通信品質指標の閾値を記憶する。
【００２７】
セル判定部２８は、在圏セル判定部２８１及び最適セル判定部２８２を備えている。
在圏セル判定部２８１は、自セルに在圏する移動端末１０が使用している適用サービスに関して、自セル（すなわち、在圏セル）の通信品質指標が閾値を超えているか否かを判定する。
【００２８】
最適セル判定部２８２は、在圏セル判定部２８１による判定結果が閾値を超えていることを示す場合、自セルに在圏する移動端末１０が使用している適用サービスに関して、自セル（すなわち、在圏セル）及び在圏セルの隣接セルの中で、通信品質が最も良い（すなわち、通信品質指標が最も小さい）セルを判定する。最適セル判定部２８２による判定結果が、通信品質が最も良いセルが隣接セルであることを示す場合、端末制御部２３は、その隣接セルに移動端末１０を遷移させる。
【００２９】
カウンタ部２９は、接続試行回数カウンタ２９１、通信劣化回数カウンタ２９２、及びカウンタデータ記憶部２９３を備えている。
接続試行回数カウンタ２９１は、適用サービス毎に、自セルに在圏し、かつ、その適用サービスを使用している移動端末１０が、自基地局２０への接続を試行した回数である接続試行回数をカウントするカウンタである。
【００３０】
通信劣化回数カウンタ２９２は、適用サービス毎に、自セルに在圏し、かつ、その適用サービスを使用している移動端末１０の通信品質が劣化した回数である通信劣化回数をカウントするカウンタである。ここでの通信品質とは、接続試行回数以外の通信品質を示し、例えば、信号対雑音干渉比（ＳＩＮＲ：Signal to Interference Ratio)、受信レベル、ビット誤り率（ＢＥＲ：Bit Error Rate）等である。また、通信品質が劣化した回数とは、例えば、通信品質が閾値以下になった回数である。
【００３１】
カウンタデータ記憶部２９３は、接続試行回数カウンタ２９１がカウントした適用サービス毎の接続試行回数を示す接続試行回数カウンタデータ、及び、通信劣化回数カウンタ２９２がカウントした適用サービス毎の通信劣化回数を示す通信劣化回数カウンタデータを記憶する。カウンタデータ記憶部２９３が記憶している適用サービス毎の接続試行回数カウンタデータ及び通信劣化回数カウンタデータは、例えば、午前０時に、データ送信部２１により局データサーバ４０へ送信される。局データサーバ４０への送信後、接続試行回数カウンタ２９１の接続試行回数カウンタデータ及び通信劣化回数カウンタ２９２の通信劣化回数カウンタデータは、リセットされる。
【００３２】
続いて、図４を参照して、局データサーバ４０の構成について説明する。図４は、局データサーバ４０の構成例を示すブロック図である。
図４に示されるように、局データサーバ４０は、データ送信部４１、データ受信部４２、データ記憶部４３、通信品質指標計算部４４、及びカウンタデータ更新部４５を備えている。
【００３３】
データ送信部４１は、基地局２０へデータを送信する。データ受信部４２は、基地局２０からデータを受信する。
データ記憶部４３は、通信品質指標記憶部４３１及びカウンタデータ記憶部４３２を備えている。
通信品質指標記憶部４３１は、適用サービス毎かつセル毎の通信品質指標を記憶する。通信品質指標記憶部４３１が記憶している通信品質指標は、基地局２０からの要求を受けて、基地局２０へ、データ送信部４１により送信される。
カウンタデータ記憶部４３２は、適用サービス毎かつセル毎に、基地局２０から送信された接続試行回数カウンタデータ及び通信劣化回数カウンタデータを記憶する。接続試行回数カウンタデータ及び通信劣化回数カウンタデータは、例えば、３０日分記憶される。
【００３４】
通信品質指標計算部４４は、適用サービス毎かつセル毎に、例えば、３０日分の接続試行回数カウンタデータの総数及び通信劣化回数カウンタデータの総数に基づいて、通信品質指標を計算する。通信品質指標計算部４４が計算した適用サービス毎かつセル毎の通信品質指標は、通信品質指標記憶部４３１に記憶される。
【００３５】
カウンタデータ更新部４５は、基地局２０から適用サービス毎の接続試行回数カウンタデータ及び通信劣化回数カウンタデータを受信すると、カウンタデータ記憶部４３２に記憶されている適用サービス毎かつセル毎の接続試行回数カウンタデータ及び通信劣化回数カウンタデータを更新する。
【００３６】
（１−２）実施の形態１の動作
続いて、本実施の形態１に係る通信システムの動作について説明する。
まず、図５を参照して、移動端末１０が使用している適用サービスに応じて基地局２０がセル遷移を制御する場合の動作について説明する。図５は、本実施の形態１に係る通信システムにおいて、移動端末１０が使用している適用サービスに応じて基地局２０がセル遷移を制御する場合の動作例を示すフロー図である。なお、図５は、基地局２０−Ｘが移動端末１０と通信を行う場合の動作例を示している。
【００３７】
図５に示されるように、基地局２０−Ｘにおいては、基地局２０−Ｘのセルに在圏している移動端末１０が基地局２０−Ｘと接続状態になり通信を開始すると（ステップＳ１０１のＹｅｓ）、データ要求部２５は、移動端末１０に対し、移動端末１０の在圏セル、隣接セルのＲＦ情報を要求する（ステップＳ１０２）。ＲＦ情報の要求は、基地局２０−Ｘのデータ送信部２１から送信される。
【００３８】
移動端末１０においては、データ受信部１２が、基地局２０−ＸからＲＦ情報の要求を受信した後、ＲＦ情報取得部１３は、在圏セル（すなわち、基地局２０−Ｘのセル）、隣接セル（すなわち、基地局２０−Ｙ１，２０−Ｙ２，２０−Ｙ３のセル）のＲＦ情報を取得する（ステップＳ１０３）。このとき、ＲＦ情報として、セル番号を取得する。以下、基地局２０−Ｘのセルは、セル番号がＸであるものとし、在圏セルＸ又はセルＸと称す。また、基地局２０−Ｙ１，２０−Ｙ２，２０−Ｙ３のセルは、セル番号がそれぞれＹ１、Ｙ２、Ｙ３であるものとし、隣接セルＹ１、Ｙ２、Ｙ３又はセルＹ１、Ｙ２、Ｙ３と称す。
【００３９】
移動端末１０においては、ＲＦ情報取得部１３が、在圏セル、隣接セルのＲＦ情報を取得した後、データ送信部１１は、基地局２０−Ｘに対し、在圏セル、隣接セルのＲＦ情報を送信する（ステップＳ１０４）。このとき、基地局２０−Ｘにおいては、データ受信部２２がＲＦ情報を受信する。
【００４０】
続いて、基地局２０−Ｘにおいては、サービス内容検知部２４は、移動端末１０が使用している適用サービスを検知する（ステップＳ１０５）。ここでは、移動端末１０が使用している適用サービスが、ＶｏＬＴＥサービスである適用サービスＳであるとする。
【００４１】
基地局２０−Ｘにおいては、サービス内容検知部２４が、適用サービスＳを検知した後、データ要求部２５は、局データサーバ４０に対し、適用サービスＳの在圏セルＸ、隣接セルＹ１、Ｙ２、Ｙ３の通信品質指標を要求する（ステップＳ１０６）。通信品質指標の要求は、基地局２０−Ｘのデータ送信部２１から送信される。
【００４２】
局データサーバ４０においては、データ受信部４２が、基地局２０−Ｘから通信品質指標の要求を受信した後、データ送信部４１は、通信品質指標記憶部４３１に記憶されている、適用サービスＳの在圏セルＸ、隣接セルＹ１、Ｙ２、Ｙ３の通信品質指標を取得する（ステップＳ１０７）。ここでは、適用サービスＳの在圏セルＸの通信品質指標がＳＸであり、隣接セルＹ１、Ｙ２、Ｙ３の通信品質指標がＳＹ１、ＳＹ２、ＳＹ３であるとする。
【００４３】
局データサーバ４０においては、データ送信部４１は、適用サービスＳの在圏セルＸ、隣接セルＹ１、Ｙ２、Ｙ３の通信品質指標を取得後、基地局２０−Ｘに対し、適用サービスＳの在圏セルＸ、隣接セルＹ１、Ｙ２、Ｙ３の通信品質指標を送信する（ステップＳ１０８）。このとき、基地局２０−Ｘにおいては、データ受信部２２が、適用サービスＳの在圏セルＸ、隣接セルＹ１、Ｙ２、Ｙ３の通信品質指標を受信する。
【００４４】
続いて、基地局２０−Ｘにおいては、在圏セル判定部２８１は、適用サービスＳの在圏セルＸの通信品質指標ＳＸが、閾値記憶部２７に記憶されている適用サービスＳの通信品質指標の閾値（閾値ＳＡとする）を超えているか（すなわち、ＳＸ＞ＳＡであるか）否かを判定する（ステップＳ１０９）。
【００４５】
ＳＸがＳＡを超えていない場合、すなわち、ＳＸ≦ＳＡの場合（ステップＳ１１０のＮｏ）、在圏セルＸは、適用サービスＳの通信品質の基準を満たしていることになる。そのため、基地局２０−Ｘにおいては、端末制御部２３は、移動端末１０と在圏セルＸの基地局２０−Ｘとの現状の通信を継続させる（ステップＳ１１１）。
【００４６】
一方、ＳＸがＳＡを超えている場合、すなわち、ＳＸ＞ＳＡの場合、（ステップＳ１１０のＹｅｓ）、在圏セルＸは、適用サービスＳの通信品質の基準を満たしていないことになる。そのため、基地局２０−Ｘにおいては、最適セル判定部２８２は、在圏セルＸ及び隣接セルＹ１、Ｙ２、Ｙ３の中で、適用サービスＳの通信品質が最も良いセルを判定する（ステップＳ１１２）。適用サービスＳの通信品質が最も良い通信品質指標は、ＳＸ、ＳＹ１、ＳＹ２、ＳＹ３の最小値ＳＭ＝Ｍｉｎ｛ＳＸ、ＳＹ１、ＳＹ２、ＳＹ３｝で表される。そのため、適用サービスＳの通信品質が最も良いセルは、通信品質指標がＳＭであるセルＭとなる。例えば、ＳＭ＝ＳＹ１の場合、適用サービスＳの通信品質が最も良いセルＭ＝セルＹ１となる。
【００４７】
基地局２０−Ｘにおいては、最適セル判定部２８２が、適用サービスＳの通信品質が最も良いセルＭを判定した後、端末制御部２３は、適用サービスＳの通信品質が最も良いセルＭが在圏セルＸであるか（すなわち、Ｍ＝Ｘであるか）否かを判定する（ステップＳ１１２）。
【００４８】
適用サービスＳの通信品質が最も良いセルＭが在圏セルＸである場合、すなわち、Ｍ＝Ｘである場合（ステップＳ１１３のＹｅｓ）、端末制御部２３は、移動端末１０と在圏セルの基地局２０−Ｘとの現状の通信を継続させる（ステップＳ１１４）。
【００４９】
一方、適用サービスＳの通信品質が最も良いセルＭが在圏セルＸでない場合、すなわち、Ｍ＝Ｙ１、Ｙ２、Ｙ３である場合（ステップＳ１１３のＮｏ）、端末制御部２３は、移動端末１０に対し、セルＭ（すなわち、隣接セルＹ１、Ｙ２、Ｙ３のいずれか）に遷移することを命令する（ステップＳ１１５）。
【００５０】
その後、移動端末１０は、基地局２０−Ｘから命令されたセルＭに遷移する（ステップＳ１１６）。例えば、基地局２０−Ｙ１のセルＹ１がセルＭであり、移動端末１０がセルＸからセルＹ１へ遷移する場合を考える。この場合、基地局２０−Ｘは、移動端末１０との接続を解放し、移動端末１０に対し、基地局２０−Ｙ１のセルＹ１へ遷移するリダイレクション命令を行う。移動端末１０においては、データ送信部１１及びデータ受信部１２が、基地局２０−Ｙ１のデータ送信部２１及びデータ受信部２２との間でリダイレクション手続きを行う。リダイレクション手続きが完了次第、移動端末１０は、基地局２０−Ｘよりもユーザ体感品質の良い基地局２０−Ｙ１により、適用サービスＳを継続して享受することができる。
【００５１】
基地局２０−Ｘは、移動端末１０との通信を開始する度に、図５の動作を行う。
その他の基地局２０−Ｙ１、２０−Ｙ２、２０−Ｙ３も、基地局２０−Ｘと同様に、移動端末１０との通信を開始する度に、図５の動作を行う。
【００５２】
次に、図６を参照して、適用サービス毎の通信品質指標の閾値を基地局２０に入力する場合の動作について説明する。図６は、本実施の形態１に係る通信システムにおいて、適用サービス毎の通信品質指標の閾値を基地局２０に入力する場合の動作例を示すフロー図である。なお、図６は、基地局２０−Ｘに閾値を入力する場合の動作例を示している。
【００５３】
図６に示されるように、ユーザは、移動端末１０が基地局２０−ＸのセルＸに在圏したときの適用サービス毎の通信品質指標の閾値を、基地局２０−Ｘの閾値入力部２６に入力する（ステップＳ２０１）。
基地局２０−Ｘにおいては、閾値記憶部２７は、ユーザにより閾値入力部２６に入力された適用サービス毎の通信品質指標の閾値を記憶する（ステップＳ２０２）。
その他の基地局２０−Ｙ１、２０−Ｙ２、２０−Ｙ３も、基地局２０−Ｘと同様に、図６の動作を行う。
【００５４】
なお、ステップＳ２０１においては、ユーザは、全ての適用サービスの閾値を一度にまとめて入力しても良いし、入力を複数回に分けて、１回の入力につき、一部の適用サービスの通信品質指標の閾値のみを入力しても良い。この場合、ステップＳ２０２においては、ステップＳ２０１で入力された閾値を記憶すれば良い。
【００５５】
次に、図７を参照して、基地局２０が接続試行回数及び通信劣化回数をカウントする場合の動作について説明する。図７は、本実施の形態１に係る通信システムにおいて、基地局２０が接続試行回数及び通信劣化回数をカウントする場合の動作例を示すフロー図である。なお、図７は、基地局２０−Ｘがカウントを行う場合の動作例を示している。
【００５６】
図７に示されるように、基地局２０−Ｘにおいては、基地局２０−Ｘのセルに在圏している移動端末１０が基地局２０−Ｘと接続状態になり通信を開始すると（ステップＳ３０１のＹｅｓ）、サービス内容検知部２４は、移動端末１０が使用している適用サービスを検知する（ステップＳ３０２）。ここでは、移動端末１０が使用している適用サービスが、ＶｏＬＴＥサービスである適用サービスＳであるとする。
【００５７】
以降、基地局２０−Ｘにおいては、接続試行回数カウンタ２９１は、移動端末１０が基地局２０−Ｘとの接続を試行する度に、カウンタデータ記憶部２９３に記憶されている、適用サービスＳの接続試行回数を示す接続試行回数カウンタデータＣをカウントアップ（Ｃ＝Ｃ＋１）し、カウンタデータ記憶部２９３は、カウントアップされた接続試行回数カウンタデータＣを記憶する（ステップＳ３０３）。
【００５８】
また、通信劣化回数カウンタ２９２は、移動端末１０の通信品質が劣化する度に、カウンタデータ記憶部２９３に記憶されている、適用サービスＳの通信劣化回数を示す通信劣化回数カウンタデータＲをカウントアップ（Ｒ＝Ｒ＋１）し、カウンタデータ記憶部２９３は、カウントアップされた通信劣化回数カウンタデータＲを記憶する（ステップＳ３０４）。
上記のステップＳ３０３及びＳ３０４の処理は、移動端末１０と基地局２０−Ｘとの通信が終了するまで（ステップＳ３０５のＹｅｓ）、繰り返し行われる。
【００５９】
基地局２０−Ｘは、移動端末１０との通信を開始する度に、図７の動作を行う。
その他の基地局２０−Ｙ１、２０−Ｙ２、２０−Ｙ３も、基地局２０−Ｘと同様に、移動端末１０との通信を開始する度に、図７の動作を行う。
【００６０】
なお、図５のステップＳ１０１，Ｓ１０５と図７のステップＳ３０１，Ｓ３０２とは同じ処理である。そのため、図７のステップＳ３０１，Ｓ３０２は省略し、図５のステップＳ１０５の処理の後に、図７のステップＳ３０３〜Ｓ３０５の処理を行っても良い。
【００６１】
次に、図８を参照して、局データサーバ４０が通信品質指標を更新する場合の動作について説明する。図８は、本実施の形態１に係る通信システムにおいて、局データサーバ４０が通信品質指標を更新する場合の動作例を示すフロー図である。
【００６２】
図８に示されるように、基地局２０−Ｘ、２０−Ｙ１、２０−Ｙ２、２０−Ｙ３においては、データ送信部２１は、局データサーバ４０に対し、毎日０時に、カウンタデータ記憶部２９３に記憶されている適用サービス毎の接続試行回数カウンタデータＣ及び通信劣化カウンタデータＲを送信する（ステップＳ４０１）。局データサーバ４０への送信後、接続試行回数カウンタ２９１の接続試行回数カウンタデータＣ及び通信劣化回数カウンタ２９２の通信劣化カウンタデータＲは、リセットされる。
【００６３】
局データサーバ４０においては、データ受信部４２が、基地局２０−Ｘ、２０−Ｙ１、２０−Ｙ２、２０−Ｙ３の各々から、適用サービス毎の接続試行回数カウンタデータＣ及び通信劣化カウンタデータＲを受信する。その後、カウンタデータ更新部４５は、適用サービス毎かつセル毎に、基地局２０−Ｘ、２０−Ｙ１、２０−Ｙ２、２０−Ｙ３の各々から受信した接続試行回数カウンタデータＣ及び通信劣化カウンタデータＲをカウンタデータ記憶部４３２に記憶させる。ここでは、カウンタデータ記憶部４３２は、適用サービス毎かつセル毎に、３０日分の接続試行回数カウンタデータＣ及び通信劣化カウンタデータＲを記憶するものとする。そのため、カウンタデータ更新部４５は、最新日のカウンタデータを記憶させた際、最も古い日のカウンタデータを削除する（ステップＳ４０２）。例えば、４月２７日のカウンタデータを新たに記憶させた際、最も古い３０日前の３月２８日のカウンタデータは削除される。
【００６４】
続いて、局データサーバ４０においては、通信品質指標計算部４４は、適用サービス毎かつセル毎に、通信品質指標を計算する（ステップＳ４０３）。
例えば、適用サービスＳのセルＸの通信品質指標をＳＸとすると、通信品質指標ＳＸは、以下のように計算される。
通信品質指標ＳＸ＝
適用サービスＳのセルＸの３０日分の通信劣化回数カウンタデータＲの総数／
適用サービスＳのセルＸの３０日分の接続試行回数カウンタデータＣの総数
【００６５】
通信品質指標計算部４４は、適用サービス毎かつセル毎の通信品質指標を計算した後、計算した適用サービス毎かつセル毎の通信品質指標をデータ記憶部４３に記憶させ、通信品質指標を更新する（ステップＳ４０４）。
【００６６】
図９は、本実施の形態１に係る通信システムにおいて、局データサーバ４０のデータ記憶部４３に記憶される、ある適用サービスのセル毎の通信品質指標のデータの例を示す図である。
図９に示される適用サービスに関しては、セルＸの通信品質指標が最も小さくなっている。そのため、基地局２０−Ｘは、セルＸに在圏している移動端末１０について、移動端末１０と基地局２０−Ｘとの現状の通信を継続させることになる。
【００６７】
上述したように本実施の形態１によれば、局データサーバ４０は、適用サービス毎かつセル毎の通信品質指標を記憶する。基地局２０は、自セルに在圏する移動端末１０が使用している適用サービスの自セル及び隣接セルの通信品質指標を局データサーバ４０から取得し、取得した通信品質指標に基づいて、自セル及び隣接セルの中で自セルが、その適用サービスの最適セルであるか否かを判定し、自セルが最適セルでない場合、移動端末１０を最適セルとなる隣接セルに遷移させる。
【００６８】
そのため、移動端末１０を、移動端末１０が使用している適用サービスに応じた最適セルに遷移させることができる。また、適用サービス毎にユーザ体感に即したセル遷移が可能となるため、ユーザ体感品質の向上につながる。
【００６９】
（２）実施の形態２
上記の実施の形態１においては、移動端末１０が使用している適用サービスに関して、移動端末１０が在圏するセルの通信品質指標を用いて、そのセルが最適セルであるか否かを判定していた。
しかし、同じセル内であれば、通信品質指標は同じであるとは限らず、同じセル内でも、セル内の位置によっては通信品質指標が異なる場合もあると考えられる。
【００７０】
そこで本実施の形態２においては、移動端末１０が在圏するセルにおける移動端末１０の位置を、ＳＩＮＲに基づき区分する。そして、移動端末１０が使用している適用サービスに関して、移動端末１０が在圏するセルにおける移動端末１０の在圏位置（ＳＩＮＲで識別される位置）の通信品質指標を用いて、そのセルが最適セルであるか否かを判定する。
【００７１】
なお、本実施の形態２は、上記の実施の形態１と比較して、構成自体は同様であるが、動作は異なる。そのため、以下では、本実施の形態２の動作として、上記の実施の形態１とは異なる動作を中心に説明する。
【００７２】
まず、図５のフロー（移動端末１０が使用している適用サービスに応じて基地局２０がセル遷移を制御するフロー）において、本実施の形態２が上記の実施の形態１と異なる点について説明する。
ステップＳ１０３：
移動端末１０においては、データ受信部１２が、基地局２０−ＸからＲＦ情報の要求を受信した後、ＲＦ情報取得部１３は、在圏セル（すなわち、基地局２０−Ｘのセル）、隣接セル（すなわち、基地局２０−Ｙ１，２０−Ｙ２，２０−Ｙ３のセル）のＲＦ情報を取得する。このとき、ＲＦ情報として、在圏セル、隣接セルのセル番号に加えて、在圏セルにおける移動端末１０の在圏位置のＳＩＮＲを取得する。
【００７３】
ステップＳ１０６：
基地局２０−Ｘにおいては、サービス内容検知部２４が、適用サービスＳを検知した後、データ要求部２５は、局データサーバ４０に対し、適用サービスＳの在圏セルＸにおける在圏位置のＳＩＮＲの通信品質指標と、適用サービスＳの隣接セルＹ１、Ｙ２、Ｙ３の通信品質指標と、を要求する。このとき、例えば、隣接セルＹ１の通信品質指標としては、隣接セルＹ１における同じＳＩＮＲとなる位置の通信品質指標を要求する。ただし、これには限定されず、隣接セルＹ１の通信品質指標としては、隣接セルＹ１のセル全体での通信品質指標（すなわち、上記の実施の形態１と同様の通信品質指標）を要求しても良い。通信品質指標の要求は、基地局２０−Ｘのデータ送信部２１から送信される。
【００７４】
ステップＳ１０７：
局データサーバ４０においては、データ受信部４２が、基地局２０−Ｘから通信品質指標の要求を受信した後、データ送信部４１は、通信品質指標記憶部４３１に記憶されている、適用サービスＳの在圏セルＸのＳＩＮＲの通信品質指標と、適用サービスＳの隣接セルＹ１、Ｙ２、Ｙ３の通信品質指標と、を取得する。
【００７５】
図６のフロー（適用サービス毎の通信品質指標の閾値を基地局２０に入力するフロー）については、本実施の形態２と上記の実施の形態１とで異なる点はない。
【００７６】
続いて、図７のフロー（基地局２０が接続試行回数及び通信劣化回数をカウントするフロー）において、本実施の形態２が上記の実施の形態１と異なる点について説明する。
ステップＳ３０３：
基地局２０−Ｘにおいては、接続試行回数カウンタ２９１は、移動端末１０が基地局２０−Ｘとの接続を試行する度に、カウンタデータ記憶部２９３に記憶されている、適用サービスＳかつＳＩＮＲの接続試行回数カウンタデータＣをカウントアップ（Ｃ＝Ｃ＋１）し、カウンタデータ記憶部２９３は、カウントアップされた接続試行回数カウンタデータＣを記憶する。
【００７７】
ステップＳ３０４：
基地局２０−Ｘにおいては、通信劣化回数カウンタ２９２は、移動端末１０の通信品質が劣化する度に、カウンタデータ記憶部２９３に記憶されている、適用サービスＳかつＳＩＮＲの通信劣化回数カウンタデータＲをカウントアップ（Ｒ＝Ｒ＋１）し、カウンタデータ記憶部２９３は、カウントアップされた通信劣化回数カウンタデータＲを記憶する。
【００７８】
続いて、図８のフロー（局データサーバ４０が通信品質指標を更新するフロー）において、本実施の形態２が上記の実施の形態１と異なる点について説明する。
ステップＳ４０３：
局データサーバ４０においては、通信品質指標計算部４４は、適用サービス毎かつセル毎かつＳＩＮＲ毎に、通信品質指標を計算する。
ステップＳ４０４：
局データサーバ４０においては、通信品質指標計算部４４は、適用サービス毎かつセル毎かつＳＩＮＲ毎の通信品質指標を計算した後、計算した適用サービス毎かつセル毎かつＳＩＮＲ毎の通信品質指標をデータ記憶部４３に記憶させ、通信品質指標を更新する。
【００７９】
図１０は、本実施の形態２に係る通信システムにおいて、局データサーバ４０のデータ記憶部４３に記憶される、ある適用サービスのセル毎かつＳＩＮＲ毎の通信品質指標のデータの例を示す図である。
図１０に示される適用サービスに関しては、ＳＩＮＲが−５〜−４の場合、セルＹ１の通信品質指標が最も小さくなっている。そのため、基地局２０−Ｘは、セルＸにおけるＳＩＮＲが−５〜−４となる位置に在圏している移動端末１０について、その位置の通信品質指標が閾値を超えていなければ、移動端末１０と基地局２０−Ｘとの現状の通信を継続させ、その位置の通信品質指標が閾値を超えていれば、移動端末１０をセルＹ１に遷移させることになる。
【００８０】
また、図１０に示される適用サービスに関しては、ＳＩＮＲが０〜１の場合、セルＸの通信品質指標が最も小さくなっている。そのため、基地局２０−Ｘは、セルＸにおけるＳＩＮＲが０〜１となる位置に在圏している移動端末１０について、移動端末１０と基地局２０−Ｘとの現状の通信を継続させることになる。
【００８１】
上述したように本実施の形態２によれば、局データサーバ４０は、適用サービス毎かつセル毎かつＳＩＮＲ毎の通信品質指標を記憶する。基地局２０は、自セルに在圏する移動端末１０が使用している適用サービスの自セルにおける移動端末１０が在圏する位置のＳＩＮＲの通信品質指標、及び、その適用サービスの隣接セルの通信品質指標を局データサーバ４０から取得し、取得した通信品質指標に基づいて、自セル及び隣接セルの中で自セルが、その適用サービスの最適セルであるか否かを判定し、自セルが最適セルでない場合、移動端末１０を最適セルとなる隣接セルに遷移させる。
【００８２】
このように、移動端末１０が在圏するセルにおける移動端末１０が在圏する位置のＳＩＮＲの通信品質指標を用いて、そのセルが最適セルであるか否かを判定するため、上記の実施の形態１と比較して、判定精度の向上を図れる。
その他の効果は、上記の実施の形態１と同様である。
【００８３】
（３）実施の形態の概念
続いて、上記の実施の形態に係る基地局２０及び局データサーバ４０を概念的に示した基地局２００及び局データサーバ４００の構成について説明する。
まず、基地局２００について説明する。図１１は、上記の実施の形態に係る基地局２０を概念的に示した基地局２００の構成例を示すブロック図である。
図１１に示されるように、基地局２００は、通信部２０１、記憶部２０２、及び処理部２０３を備えている。
【００８４】
通信部２０１は、データ送信部２１及びデータ受信部２２に相当する。通信部２０１は、例えば、トランシーバ等である。例えば、通信部２０１は、自セルに在圏する移動端末１０が使用している適用サービスの自セル及び隣接セルの通信品質指標を局データサーバ４００から取得する。
記憶部２０２は、閾値記憶部２７及びカウンタデータ記憶部２９３に相当する。記憶部２０２は、例えば、揮発性メモリ及び不揮発性メモリの組み合わせ等である。
【００８５】
処理部２０３は、端末制御部２３、サービス内容検知部２４、データ要求部２５、閾値入力部２６、セル判定部２８、接続試行回数カウンタ２９１、及び通信劣化回数カウンタ２９２に相当する。処理部２０３は、例えば、マイクロプロセッサ、ＭＰＵ（Micro Processing Unit）、ＣＰＵ（Central Processing Unit）等のプロセッサである。例えば、処理部２０３は、通信部２０１が取得した通信品質指標に基づいて、自セル及び隣接セルの中で自セルが、その適用サービスの最適セルであるか否かを判定する。処理部２０３は、自セルが最適セルでない場合、移動端末１０を最適セルとなる隣接セルに遷移させる。
【００８６】
続いて、局データサーバ４００について説明する。図１２は、上記の実施の形態に係る局データサーバ４０を概念的に示した局データサーバ４００の構成例を示すブロック図である。
図１２に示されるように、局データサーバ４００は、通信部４０１、記憶部４０２、及び処理部４０３を備えている。
【００８７】
記憶部４０２は、データ記憶部４３に相当する。記憶部４０２は、例えば、揮発性メモリ及び不揮発性メモリの組み合わせ等である。例えば、記憶部４０２は、適用サービス毎かつセル毎の通信品質指標を記憶する。
通信部４０１は、データ送信部４１及びデータ受信部４２に相当する。通信部４０１は、例えば、トランシーバ等である。例えば、通信部４０１は、基地局２００に対し、基地局２００のセルに在圏する移動端末１０が使用している適用サービスの、そのセル及び隣接セルの通信品質指標を送信する。
処理部４０３は、通信品質指標計算部４４及びカウンタデータ更新部４５に相当する。処理部４０３は、例えば、マイクロプロセッサ、ＭＰＵ、ＣＰＵ等のプロセッサである。例えば、処理部４０３は、適用サービス毎かつセル毎の通信品質指標を計算する。
【００８８】
以上、実施の形態を参照して本開示を説明したが、本開示は上記の実施の形態に限定されるものではない。本開示の構成や詳細には、本開示のスコープ内で当業者が理解し得る様々な変更をすることができる。
【００８９】
例えば、上記の実施の形態においては、適用サービスとして、ＶｏＬＴＥサービスを例に挙げた。そのため、基地局のセルに在圏し、かつ、ＶｏＬＴＥサービスを使用している移動端末が、その基地局への接続を試行した接続試行回数を用いて、ＶｏＬＴＥサービスのその基地局のセルの通信品質指標を計算していた。
【００９０】
ただし、適用サービスは、ＶｏＬＴＥサービスに限らず、例えば、ＦＴＰサービス等でも良い。ＦＴＰサービスの場合、瞬間的に大容量のデータを送信することができれば、ユーザ体感品質の向上につながると考えられる。そこで、ＦＴＰサービスの場合、基地局のセルに在圏し、かつ、ＦＴＰサービスを使用している移動端末の平均スループットを用いて、ＦＴＰサービスのその基地局のセルの通信品質指標を計算するのが良い。
【００９１】
また、上記の実施の形態では、本開示の移動端末、基地局、及び局データサーバをハードウェアの構成として説明したが、本開示は、これに限定されるものではない。本開示は、移動端末、基地局、及び局データサーバの任意の処理を、プロセッサが、メモリに格納されたコンピュータプログラムを読み出し実行することにより、実現することも可能である。
【００９２】
上記の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９３】
上記の実施の形態の一部又は全部は、以下の付記のようにも記載されうるが、以下には限られない。
（付記１）
移動端末と、
適用サービス毎かつセル毎の通信品質指標を記憶するサーバと、
自セルに在圏する前記移動端末が使用している適用サービスの自セル及び自セルに隣接する隣接セルの通信品質指標を前記サーバから取得し、取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる基地局と、
を備える、通信システム。
（付記２）
前記基地局は、
自セルに在圏する前記移動端末が使用している適用サービスの自セルの通信品質指標が閾値を超えていない場合、自セルが最適セルであると判定し、
当該適用サービスの自セルの通信品質指標が閾値を超えており、かつ、当該適用サービスの自セルの通信品質指標及び隣接セルの通信品質指標の中で自セルの通信品質指標が最も小さい場合、自セルが最適セルであると判定し、
当該適用サービスの自セルの通信品質指標が閾値を超えており、かつ、当該適用サービスの自セルの通信品質指標及び隣接セルの通信品質指標の中で隣接セルの通信品質指標が最も小さい場合、当該隣接セルが最適セルであると判定する、
付記１に記載の通信システム。
（付記３）
前記サーバは、
適用サービス毎かつセル毎かつＳＩＮＲ（Signal to Interference Ratio)毎の通信品質指標を記憶し、
前記基地局は、
自セルに在圏する前記移動端末が使用している適用サービスの自セルにおける前記移動端末が在圏する位置のＳＩＮＲの通信品質指標、及び、当該適用サービスの隣接セルの通信品質指標を前記サーバから取得し、取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる、
付記１に記載の通信システム。
（付記４）
前記基地局は、
自セルに在圏する前記移動端末が使用している適用サービスの自セルのＳＩＮＲの通信品質指標が閾値を超えていない場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で自セルのＳＩＮＲの通信品質指標が最も小さい場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で隣接セルの通信品質指標が最も小さい場合、当該隣接セルが最適セルであると判定する、
付記３に記載の通信システム。
（付記５）
前記サーバは、
適用サービスがＶｏＬＴＥ（Voice over Long Term Evolution）サービスである場合、
前記基地局のセルに在圏し、かつ、前記ＶｏＬＴＥサービスを使用している前記移動端末が、当該基地局への接続を試行した接続試行回数を用いて、前記ＶｏＬＴＥサービスの当該基地局のセルの通信品質指標を計算する、
付記１から４のいずれか１項に記載の通信システム。
（付記６）
前記サーバは、
適用サービスがＦＴＰ（File Transfer Protocol）サービスである場合、
前記基地局のセルに在圏し、かつ、前記ＦＴＰサービスを使用している前記移動端末の平均スループットを用いて、前記ＦＴＰサービスの当該基地局のセルの通信品質指標を計算する、
付記１から４のいずれか１項に記載の通信システム。
（付記７）
自セルに在圏する移動端末が使用している適用サービスの自セル及び自セルに隣接する隣接セルの通信品質指標をサーバから取得する通信部と、
前記通信部が取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる処理部と、
を備える、基地局。
（付記８）
前記処理部は、
自セルに在圏する前記移動端末が使用している適用サービスの自セルの通信品質指標が閾値を超えていない場合、自セルが最適セルであると判定し、
当該適用サービスの自セルの通信品質指標が閾値を超えており、かつ、当該適用サービスの自セルの通信品質指標及び隣接セルの通信品質指標の中で自セルの通信品質指標が最も小さい場合、自セルが最適セルであると判定し、
当該適用サービスの自セルの通信品質指標が閾値を超えており、かつ、当該適用サービスの自セルの通信品質指標及び隣接セルの通信品質指標の中で隣接セルの通信品質指標が最も小さい場合、当該隣接セルが最適セルであると判定する、
付記７に記載の基地局。
（付記９）
前記通信部は、
自セルに在圏する前記移動端末が使用している適用サービスの自セルにおける前記移動端末が在圏する位置のＳＩＮＲ（Signal to Interference Ratio）の通信品質指標、及び、当該適用サービスの隣接セルの通信品質指標を前記サーバから取得し、
前記処理部は、
前記通信部が取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる、
付記７に記載の基地局。
（付記１０）
前記処理部は、
自セルに在圏する前記移動端末が使用している適用サービスの自セルのＳＩＮＲの通信品質指標が閾値を超えていない場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で自セルのＳＩＮＲの通信品質指標が最も小さい場合、自セルが最適セルであると判定し、
当該適用サービスの自セルのＳＩＮＲの通信品質指標が閾値を超えており、かつ、当該適用サービスの自セルのＳＩＮＲの通信品質指標及び隣接セルの通信品質指標の中で隣接セルの通信品質指標が最も小さい場合、当該隣接セルが最適セルであると判定する、
付記９に記載の基地局。
（付記１１）
適用サービス毎かつセル毎の通信品質指標を記憶する記憶部と、
基地局に対し、当該基地局のセルに在圏する移動端末が使用している適用サービスの当該セル及び当該セルに隣接する隣接セルの通信品質指標を送信する通信部と、
を備える、サーバ。
（付記１２）
前記記憶部は、
適用サービス毎かつセル毎かつＳＩＮＲ（Signal to Interference Ratio)毎の通信品質指標を記憶し、
前記通信部は、
前記基地局に対し、当該基地局のセルに在圏する移動端末が使用している適用サービスの当該セルの、前記移動端末が在圏する位置におけるＳＩＮＲの通信品質指標、及び、当該適用サービスの隣接セルの通信品質指標を送信する、
付記１１に記載のサーバ。
（付記１３）
適用サービスがＶｏＬＴＥ（Voice over Long Term Evolution）サービスである場合、
前記基地局のセルに在圏し、かつ、前記ＶｏＬＴＥサービスを使用している前記移動端末が、当該基地局への接続を試行した接続試行回数を用いて、前記ＶｏＬＴＥサービスの当該基地局のセルの通信品質指標を計算する処理部をさらに備える、
付記１１又は１２に記載のサーバ。
（付記１４）
適用サービスがＦＴＰ（File Transfer Protocol）サービスである場合、
前記基地局のセルに在圏し、かつ、前記ＦＴＰサービスを使用している前記移動端末の平均スループットを用いて、前記ＦＴＰサービスの当該基地局のセルの通信品質指標を計算する処理部をさらに備える、
付記１１又は１２に記載のサーバ。
（付記１５）
基地局の制御方法であって、
自セルに在圏する移動端末が使用している適用サービスの自セル及び自セルに隣接する隣接セルの通信品質指標をサーバから取得し、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる、
基地局の制御方法。
（付記１６）
サーバの制御方法であって、
適用サービス毎かつセル毎の通信品質指標を記憶し、
基地局に対し、当該基地局のセルに在圏する移動端末が使用している適用サービスの当該セル及び当該セルに隣接する隣接セルの通信品質指標を送信する、
サーバの制御方法。
（付記１７）
基地局に、
自セルに在圏する移動端末が使用している適用サービスの自セル及び自セルに隣接する隣接セルの通信品質指標をサーバから取得する手順と、
前記取得した通信品質指標に基づいて、自セル及び隣接セルの中で自セルが当該適用サービスの最適セルであるか否かを判定し、自セルが最適セルでない場合、前記移動端末を最適セルとなる隣接セルに遷移させる手順と、
を実行させるプログラム。
（付記１８）
サーバに、
適用サービス毎かつセル毎の通信品質指標を記憶する手順と、
基地局に対し、当該基地局のセルに在圏する移動端末が使用している適用サービスの当該セル及び当該セルに隣接する隣接セルの通信品質指標を送信する手順と、
を実行させるプログラム。
【符号の説明】
【００９４】
１０−１〜１０−Ｎ    移動端末
１１    データ送信部
１２    データ受信部
１３    ＲＦ情報取得部
２０−Ｘ、２０−Ｙ１、２０−Ｙ２、２０−Ｙ３    基地局
２１    データ送信部
２２    データ受信部
２３    端末制御部
２４    サービス内容検知部
２５    データ要求部
２６    閾値入力部
２７    閾値記憶部
２８    セル判定部
２８１    在圏セル判定部
２８２    最適セル判定部
２９    カウンタ部
２９１    接続試行回数カウンタ
２９２    通信劣化回数カウンタ
２９３    カウンタデータ記憶部
３０    インターネット
４０    局データサーバ
４１    データ送信部
４２    データ受信部
４３    データ記憶部
４３１    通信品質指標記憶部
４３２    カウンタデータ記憶部
４４    通信品質指標計算部
４５    カウンタデータ更新部
２００    基地局
２０１    通信部
２０２    記憶部
２０３    処理部
４００    局データサーバ
４０１    通信部
４０２    記憶部
４０３    処理部
【図１】
2019220739.tif 000003
【図２】
2019220739.tif 000004
【図３】
2019220739.tif 000005
【図４】
2019220739.tif 000006
【図５】
2019220739.tif 000007
【図６】
2019220739.tif 000008
【図７】
2019220739.tif 000009
【図８】
2019220739.tif 000010
【図９】
2019220739.tif 000011
【図１０】
2019220739.tif 000012
【図１１】
2019220739.tif 000013
【図１２】
2019220739.tif 000014